(57)【要約】      （修正有）【課題】足踏み動作に水平スウィングを加えた立体的動作形式を具備する足踏み健康器を提供する。【解決手段】基座10上に２つの踏み板20を有し、２つの踏み板の底部は水平に設置される可動管11上に固定してある。可動管の一端が、基座上に垂直に設置される枢軸回転管13の１つの側から水平方向に伸びる軸ロッド14に枢軸設置される。可動管は軸ロッドが挿入される側の反対の側に可動管端部15を有し、可動管端部の側の下端に下向きに設置される１つの垂直スウィングアーム16を有する。垂直スウィングアームは底端が伸縮ロッド30の一端と枢軸連結される第一枢軸結合部31と連結してある。伸縮ロッドは可動管の下方に可動管と平行に設置され、伸縮ロッドは中断に伸縮段33を有し、又、第一枢軸結合部と連結される反対側の端に第二枢軸結合部32を有し、第二枢軸結合部と基座上にある１つの固定点17とが枢軸連結してある。【選択図】図１
0003106081.tif 000002
【実用新案登録請求の範囲】
【請求項１】
基座(10)上に２つの踏み板(20)を有し、２つの上記踏み板(20)の底部は水平に設置される１つの可動管(11)上に固定され、且つ、上記踏み板(20)を足で踏む時、制限器(12)により予設の抵抗力を具備することが可能であり、２つの上記踏み板(20)が固定される上記可動管(11)の一端が、上記基座(10)上に垂直に設置される１つの枢軸回転管(13)の１つの側から水平方向に伸びる軸ロッド(14)に枢軸設置されることにより、上記可動管(11)は水平方向に回転することが可能であり、上記可動管(11)は上記軸ロッド(14)が挿入される側の反対の側に可動管端部(15)を有し、上記可動管端部(15)の側の下端に下向きに設置される１つの垂直スウィングアーム(16)を有し、上記垂直スウィングアーム(16)は底端が伸縮ロッド(30)の一端と枢軸連結される第一枢軸結合部(31)と連結され、
上記伸縮ロッド(30)は上記可動管(11)の下方に上記可動管(11)と平行に設置され、上記伸縮ロッド(30)は中段に伸縮段(33)を有し、又、上記第一枢軸結合部(31)と連結される反対側の端に第二枢軸結合部(32)を有し、上記第二枢軸結合部(32)と上記基座(10)上にある１つの固定点(17)とが枢軸連結されることにより、上記伸縮ロッド(30)は上記第二枢軸結合部(32)を起点とし、垂直方向にのみ往復スウィングすることが可能であり、
上記構造により、使用者が２つの上記踏み板(20)を踏み、交互に踏む動作を行なう時、上記可動管端部(15)は上記枢軸回転管(13)を中心として弧を描くように水平方向に往復スウィングすることが可能ではあるけれども、上記可動管端部(15)に連結する上記垂直スウィングアーム(16)の下端は上記伸縮ロッド(30)により上記固定点(17)に間接的に固定されているため、反作用が生じ、上記可動管(11)の上記可動管端部(15)は上記枢軸回転管(13)で枢軸支点として回転しつつ水平方向に往復スウィングする構造であり、上記構造により、使用者が２つの上記踏み板(20)を交互に踏む動作を行なう時、上記踏み板(20)が垂直方向の上下往復移動を行なうと同時に、水平方向にスウィングする構造の立体的動作形式を具備することが可能であることを特徴とする足踏み健康器。
【請求項２】
上記基座(10)上に設置される上記踏み板(20)はそれぞれ独立した２つの踏み板(20)の構造形態でもよく、上記左右の踏み板(20)はそれぞれ支柱アーム(21)により上記可動管(11)の両側に設置されることを特徴とする請求項１記載の足踏み健康器。
【請求項３】
上記基座(10)上に設置される上記踏み板(20Ｂ)は一枚の板体もよく、上記可動管(11Ｂ)上に直接上記踏み板(20Ｂ)の底部中央を設置することを特徴とする請求項１記載の足踏み健康器。
【考案の詳細な説明】
【技術分野】
【０００１】
本考案は足踏み健康器に係り、特に、使用者が２つの上記踏み板(20)を交互に踏む動作を行なう時、上記踏み板(20)が垂直方向の上下往復移動を行なうと同時に、水平方向にスウィングする構造の立体的動作形式を具備する足踏み健康器に関する。
【背景技術】
【０００２】
足踏み健康器は一種の、使用者が足踏み動作に似た動作を行なうことができるよう、使用者を補助し、健康トレーニングの目的を達成することができるように設計された運動器材で、従来の足踏み健康器は多少の構造の違いはあるものの基本的にはすべて踏み板が上下方向のみ往復動作できるのみで、創意工夫のある器材を開発するまでにはいたらず、如何に一種の空間形態及び作動方式を一歩前進させた創意工夫のある足踏み健康器の構造を開発するかが、関係業界では開発目標となっている。
【考案の開示】
【考案が解決しようとする課題】
【０００３】
解決しようとする問題点は、従来の足踏み健康器は多少の構造の違いはあるものの基本的にはすべて踏み板が上下方向のみ往復動作できるのみで、創意工夫のある器材を開発するまでにはいたらないという点である。
【課題を解決するための手段】
【０００４】
即ち、本考案の足踏み健康器は、主に基座(10)上に２つの踏み板(20)を有し、２つの上記踏み板(20)の底部は水平に設置される１つの可動管(11)上に固定され、且つ、上記踏み板(20)を足で踏む時、制限器(12)により予設の抵抗力を具備することができ、２つの上記踏み板(20)が固定される上記可動管(11)の一端が、上記基座(10)上に垂直に設置される１つの枢軸回転管(13)の１つの側から水平方向に伸びる軸ロッド(14)に枢軸設置されることにより、上記可動管(11)は水平方向に回転することができ、上記可動管(11)は上記軸ロッド(14)が挿入される側の反対の側に可動管端部(15)を有し、上記可動管端部(15)の側の下端に下向きに設置される１つの垂直スウィングアーム(16)を有し、上記垂直スウィングアーム(16)は底端が伸縮ロッド(30)の一端と枢軸連結される第一枢軸結合部(31)と連結され、その主な特徴は、上記伸縮ロッド(30)は上記可動管(11)の下方に上記可動管(11)と平行に設置され、上記伸縮ロッド(30)は中段に伸縮段(33)を有し、又、上記第一枢軸結合部(31)と連結される反対側の端に第二枢軸結合部(32)を有し、上記第二枢軸結合部(32)と上記基座(10)上にある１つの固定点(17)とが枢軸連結されることにより、上記伸縮ロッド(30)は上記第二枢軸結合部(32)を起点とし、垂直方向にのみ往復スウィングすることが可能であり、
上記基座(10)上に設置される上記踏み板(20)は左右の上記踏み板(20)底部がそれぞれ支柱アーム(21)により上記可動管(11)の両側に設置される独立構造形態でもよく、又或は、上記踏み板(20Ｂ)は一枚の板体でもよく、上記可動管(11)上に直接に上記踏み板(20Ｂ)底部中央を設置する構造形態でもよい構成である。
【考案の効果】
【０００５】
上記構造により、使用者が２つの上記踏み板(20)を踏み、交互に踏む動作を行なう時、上記可動管(11)の上記可動管端部(15)は同調して水平方向に往復スウィングすることができ、本考案の足踏み健康器は足踏み動作に水平スウィングを加えた立体的動作形式を具備することができる。
【考案を実施するための最良の形態】
【０００６】
次に本考案の実施の形態について説明する。
【実施例１】
【０００７】
本考案の構造の特徴及びその効果を以下に実施例とそれに合わせた図式及び詳細な説明を列挙し、本考案の長所を詳述する。
【０００８】
図１，２，３，４、５は本考案の足踏み健康器の立体スウィング構造を示す実施例で、上記足踏み健康器は基座(10)上に２つの踏み板(20)を有し、２つの上記踏み板(20)の底部は水平に設置される１つの可動管(11)上に固定され、且つ、上記踏み板(20)を足で踏む時、制限器(12)（例：窒素注入）により予め設定した抵抗力を具備することができる。２つの上記踏み板(20)が固定される上記可動管(11)の一端が、上記基座(10)上に垂直に設置される１つの枢軸回転管(13)の１つの側から水平方向に伸びる軸ロッド(14)に枢軸設置されることにより、上記可動管(11)は水平方向に回転することができる。上記可動管(11)は上記軸ロッド(14)が挿入される側の反対の側に可動管端部(15)を有する。上記可動管端部(15)の側の下端に下向きに設置される１つの垂直スウィングアーム(16)を有する。上記垂直スウィングアーム(16)は底端が伸縮ロッド(30)の一端と枢軸連結される第一枢軸結合部(31)と連結してある。
【０００９】
次に足踏み健康器の主な特徴について説明する。
【００１０】
上記伸縮ロッド(30)は上記可動管(11)の下方に上記可動管(11)と平行に設置され、上記伸縮ロッド(30)は中段に伸縮段(33)を有し、又、上記第一枢軸結合部(31)と連結される反対側の端に第二枢軸結合部(32)を有し、上記第二枢軸結合部(32)と上記基座(10)上にある１つの固定点(17)とが枢軸連結されている。この構成により、上記伸縮ロッド(30)は上記第二枢軸結合部(32)を起点とし、垂直方向にだけ往復スウィングすることができる。
【００１１】
上記基座(10)上に設置される上記踏み板(20)はそれぞれ独立した２つの踏み板(20)の構造形態でもよい。上記左右の踏み板(20)(20B)はそれぞれ支柱アーム(21)により上記可動管(11)の両側に設置してある。
【００１２】
次に、足踏み健康器を使用するときの動作について、図６乃至図９を参照して説明する。
【００１３】
使用者が２つの上記踏み板(20)を踏み、交互に踏む動作を行なう時、図６及び図８に示すように、上記可動管端部(15)は上記枢軸回転管(13)を中心として弧を描くように水平方向に往復スウィングすることができる。ここで、上記可動管端部(15)に連結する上記垂直スウィングアーム(16)の下端は上記伸縮ロッド(30)により上記固定点(17)に間接的に固定されているため、反作用が生じ、上記可動管(11)の上記可動管端部(15)は上記枢軸回転管(13)で枢軸支点として回転しつつ水平方向に往復スウィングする構造となる。上記構造により、使用者が２つの上記踏み板(20)を交互に踏む動作を行なう時、上記踏み板(20)が図７及び図９に示すように垂直方向の上下往復移動を行なうと同時に、水平方向にスウィングする構造の立体的動作形式を具備することができる。
【００１４】
また、図１乃至図３に示すように、上記伸縮ロッド(30)は中段に伸縮段(33)を有する。この構成により上記垂直スウィングアーム(16)が回転しながらスウィングする時、上記固定点(17)との距離が少しずれる。これによって、上記伸縮段(33)により、微妙な調整を行なうことができる。
【００１５】
図１０は上記垂直スウィングアーム(16)の底端に設置される上記第一枢軸結合部(31Ｂ)のもう１つの構造実施例図である。上記第一枢軸結合部(31Ｂ)は球型の任意方向に可動することができる結合形態により、上記と同じ枢軸結合機能を具備することができる。
【００１６】
又、図１１に示す如く、上記基座(10)上に設置される上記踏み板(20Ｂ)は一枚の板体もよく、上記可動管(11Ｂ)上に、例えば溶接、ねじ固定等によって直接に上記踏み板(20Ｂ)底部中央を設置することができる。
【００１７】
上記実施例の足踏み健康器は、以下の効果を有する。
１．一種の垂直及び水平方向の立体的動作形式を具備することができる創意工夫のある足踏み健康器を提供することができる。
２．立体的動作形式を具備することができる構造の特徴により、本考案の足踏み健康器は単調な上下往復動作の運動から、趣味、遊び、運動等使用目的が広がり、消費者に使用目的の選択肢が広い足踏み健康器を提供することができる。
【００１８】
また、上記実施例の足踏み健康器は、以下の新しい機能を有する。
【００１９】
可動管(11)の下方に上記可動管(11)と同軸方向に設置することにより、足踏み健康器の踏み板(20)下方の可用空間を妨げず、足踏み健康器全体の美観を損なわず、より安全に足踏み健康器を使用することができる。
【図面の簡単な説明】
【００２０】
【図１】本考案の実施例の分解立体図である。
【図２】本考案の実施例の組み合わせ立体図である。
【図３】本考案の実施例の局部の平面断面図である。
【図４】本考案の実施例の動作前の平面図である。
【図５】本考案の実施例の動作前の正面図である。
【図６】本考案の実施例の一方向に動作したときの平面図である。
【図７】本考案の実施例の一方向に動作したときの正面図である。
【図８】本考案の実施例の反対方向に動作したときの平面図である。
【図９】本考案の実施例の反対方向に動作したときの正面図である。
【図１０】本考案の第一枢軸結合部のもう１つの実施例図である。
【図１１】本考案のもう１つの実施例を示す図である。
【符号の説明】
【００２１】
１０  基座
１１，１１Ｂ  可動管
１２  制限器
１３  枢軸回転管
１４  軸ロッド
１５  可動管端部
１６  垂直スウィングアーム
１７  固定点
２０，２０Ｂ  踏み板
２１  支柱アーム
３０  伸縮ロッド
３１，３１Ｂ  第一枢軸結合部
３２  第二枢軸結合部
３３  伸縮段
【図１】
0003106081.tif 000003
【図２】
0003106081.tif 000004
【図３】
0003106081.tif 000005
【図４】
0003106081.tif 000006
【図５】
0003106081.tif 000007
【図６】
0003106081.tif 000008
【図７】
0003106081.tif 000009
【図８】
0003106081.tif 000010
【図９】
0003106081.tif 000011
【図１０】
0003106081.tif 000012
【図１１】
0003106081.tif 000013